(57)【要約】【課題】  分析精度を高めることが可能な分析装置用マイクロチップを提供すること。【解決手段】  マイクロチップ１１は、互いに張り合わされた基板１ａ，１ｂと、基板１ａ，１ｂの厚さ方向であるｚ方向に対して直角である第１の方向を流れ方向とする分離流路２２と、を備えており、基板１ａ，１ｂには、分離流路２２を構成し、基板１ａ，１ｂとの接触縁２２１ａ，２２１ｂがその全長にわたって半径５μｍ以下の曲面とされた溝２２ａ，２２ｂが形成されている。【選択図】  図４
2012068215.tif 000002
【特許請求の範囲】
【請求項１】
互いに張り合わされた第１および第２の基板と、
上記基板の厚さ方向に対して直角である第１の方向を流れ方向とする微細流路と、を備えており、
上記第１の基板には、上記微細流路を構成し、かつ上記第２の基板との接触縁がその全長にわたって半径５μｍ以下の曲面とされた第１の溝が形成されている、分析装置用のマイクロチップ。
【請求項２】
上記第１の溝の上記接触縁は、その全長にわたって半径２μｍ以下の曲面とされている、請求項１に記載の分析装置用マイクロチップ。
【請求項３】
上記微細流路は、上記基板の厚さ方向である第２の方向、および上記第１および第２の方向のいずれに対しても直角である第３の方向における寸法が、いずれも２５〜１００μｍである、請求項１または２に記載の分析装置用マイクロチップ。
【請求項４】
上記第１の溝の上記接触縁の半径は、上記微細流路の上記第２および上記第３の方向における寸法のいずれに対しても、比率が１０％以下である、請求項１ないし３のいずれかに記載の分析装置用マイクロチップ。
【請求項５】
上記第２の基板には、上記第１の溝とともに上記微細流路を構成し、かつ上記第１の基板との接触縁がその全長にわたって半径５μｍ以下の曲面とされた第２の溝が形成されている、請求項１ないし４のいずれかに記載の分析装置用マイクロチップ。
【請求項６】
上記第２の溝の上記接触縁は、その全長にわたって半径２μｍ以下の曲面とされている、請求項５に記載の分析装置用マイクロチップ。
【請求項７】
上記第２の溝の上記接触縁の半径は、上記微細流路の上記第２および上記第３の方向における寸法のいずれに対しても、比率が１０％以下である、請求項５または６に記載の分析装置用マイクロチップ。
【請求項８】
上記微細流路は、その断面形状が矩形状である、請求項１ないし７のいずれかに記載の分析装置用マイクロチップ。
【請求項９】
上記第１の溝は、その断面形状がＵ字状またはＶ字状である、請求項１ないし７のいずれかに記載の分析装置用マイクロチップ。
【請求項１０】
上記微細流路は、その断面形状が円形である、請求項５ないし７のいずれかに記載の分析装置用マイクロチップ。
【請求項１１】
上記微細流路に繋がる液溜槽をさらに備えており、
上記第１および第２の基板の少なくともいずれかには、上記液溜槽を構成する貫通孔が形成されており、
上記第１および上記第２の基板のうち上記貫通孔が形成されていないものと接する、上記貫通孔の接触縁は、その全長にわたって半径５μｍ以下の曲面とされている、請求項１ないし１０のいずれかに記載の分析装置用マイクロチップ。
【請求項１２】
上記貫通孔の上記接触縁は、その全長にわたって半径２μｍ以下の曲面とされている、請求項１１に記載の分析装置用マイクロチップ。
【請求項１３】
上記分離流路は、キャピラリー電気泳動法を用いた特定成分の分離に用いられる、請求項１ないし１２のいずれかに記載の分析装置用マイクロチップ。
【請求項１４】
上記特定成分は、血中タンパク質である、請求項１３に記載の分析装置用マイクロチップ。
【発明の詳細な説明】
【技術分野】
【０００１】
本発明は、たとえば電気泳動法を用いた分析装置用マイクロチップに関する。
【背景技術】
【０００２】
試料に含まれる特定成分の濃度もしくは量を分析する分析方法として、たとえば、キャピラリー電気泳動法を用いた分析方法が広く実施されている。キャピラリー電気泳動法は、断面積が比較的小である分離流路に泳動液を充填し、さらに上記分離流路の一端寄りに上記試料を導入する。上記分離流路の両端に電圧を加えると、電気泳動により上記泳動液が正極側から負極側へと移動する電気浸透流が生じる。また、上記電圧が印加されることにより、上記特定成分は、それぞれの電気泳動移動度に応じて移動しようとする。したがって、上記特定成分は、上記電気浸透流の速度ベクトルと上記電気泳動による移動の速度ベクトルとを合成した速度ベクトルにしたがって移動する。この移動によって、上記特定成分が他の成分から分離される。この分離された特定成分をたとえば光学的手法によって検出することにより、上記特定成分の量や濃度を分析することができる。
【０００３】
図１７は、キャピラリー電気泳動法を用いた分析装置に装てんされる分析装置用マイクロチップの一例を示している（たとえば、特許文献１参照）。同図に示されたマイクロチップ９０は、本体９１に導入槽９２、排出槽９３、および分離流路９４が形成されている。導入槽９２には、泳動液および試料が導入される。この泳動液は、分離流路９４および排出槽９３を満たす。導入槽９２および排出槽９３に電極（図示略）を浸漬させた状態で電圧を印加する。これにより、分離流路９４においては、試料中の特定成分が分離される。マイクロチップ９０は、図１８および図１９に示す基板９１ａ，９１ｂが貼り合わされた構造とされている。基板９１ａには、貫通孔９２ａ，９３ａが形成されている。貫通孔９２ａ，９３ａは、導入槽９２および排出槽９３を構成する。基板９１ｂには、溝９４ｂが形成されている。溝９４ｂは、分離流路９４を構成する。
【０００４】
キャピラリー電気泳動法を用いた分離を行う場合、分離流路９４は、幅および深さがおおむね２５〜１００μｍ程度の微細流路とされる。分離流路９４を試料であるたとえば血液が流れると、溝９４ｂと基板９１ａとの接触部分に形成された隙間に上記血液が滞留してしまうことがある。この隙間に滞留した血液は、このマイクロチップ９０を用いた次の分析をする場合に、泳動液などを汚染するものとなる。このようなことでは正確な分析が妨げられてしまうという問題があった。
【先行技術文献】
【特許文献】
【０００５】
【特許文献１】特許第４３６２９８７号公報
【発明の概要】
【発明が解決しようとする課題】
【０００６】
本発明は、上記した事情のもとで考え出されたものであって、分析精度を高めることが可能な分析装置用マイクロチップを提供することをその課題とする。
【課題を解決するための手段】
【０００７】
本発明によって提供される分析装置用マイクロチップは、互いに張り合わされた第１および第２の基板と、上記基板の厚さ方向に対して直角である第１の方向を流れ方向とする微細流路と、を備えており、上記第１の基板には、上記微細流路を構成し、かつ上記第２の基板との接触縁がその全長にわたって半径５μｍ以下の曲面とされた第１の溝が形成されている。
【０００８】
本発明の好ましい実施の形態においては、上記第１の溝の上記接触縁は、その全長にわたって半径２μｍ以下の曲面とされている。
【０００９】
本発明の好ましい実施の形態においては、上記微細流路は、上記基板の厚さ方向である第２の方向、および上記第１および第２の方向のいずれに対しても直角である第３の方向における寸法が、いずれも２５〜１００μｍである。
【００１０】
本発明の好ましい実施の形態においては、上記第１の溝の上記接触縁の半径は、上記微細流路の上記第２および上記第３の方向における寸法のいずれに対しても、比率が１０％以下である。
【００１１】
本発明の好ましい実施の形態においては、上記第２の基板には、上記第１の溝とともに上記微細流路を構成し、かつ上記第１の基板との接触縁がその全長にわたって半径５μｍ以下の曲面とされた第２の溝が形成されている。
【００１２】
本発明の好ましい実施の形態においては、上記第２の溝の上記接触縁は、その全長にわたって半径２μｍ以下の曲面とされている。
【００１３】
本発明の好ましい実施の形態においては、上記第２の溝の上記接触縁の半径は、上記微細流路の上記第２および上記第３の方向における寸法のいずれに対しても、比率が１０％以下である。
【００１４】
本発明の好ましい実施の形態においては、上記微細流路は、その断面形状が矩形状である。
【００１５】
本発明の好ましい実施の形態においては、上記第１の溝は、その断面形状がＵ字状またはＶ字状である。
【００１６】
本発明の好ましい実施の形態においては、上記微細流路は、その断面形状が円形である。
【００１７】
本発明の好ましい実施の形態においては、上記微細流路に繋がる液溜槽をさらに備えており、上記第１および第２の基板の少なくともいずれかには、上記液溜槽を構成する貫通孔が形成されており、上記第１および上記第２の基板のうち上記貫通孔が形成されていないものと接する、上記貫通孔の接触縁は、その全長にわたって半径５μｍ以下の曲面とされている。
【００１８】
本発明の好ましい実施の形態においては、上記貫通孔の上記接触縁は、その全長にわたって半径２μｍ以下の曲面とされている。
【００１９】
本発明の好ましい実施の形態においては、上記分離流路は、キャピラリー電気泳動法を用いた特定成分の分離に用いられる。
【００２０】
本発明の好ましい実施の形態においては、上記特定成分は、血中タンパク質である。
【００２１】
発明者らの研究によれば、半径５μｍ以下の曲面とされた上記接触縁と上記第２の基板との間には、血液などの試料が滞留しにくいことが判明した。上記接触縁は、その全長にわたって半径５μｍ以下の曲面とされているため、微細流路の全長にわたって試料が滞留しにくい。これにより、ある分析を終えた後に、次の分析を行うときに、試料が滞留してしまうことによる汚染を防止することが可能である。したがって、分析の精度を高めることができる。
【００２２】
本発明のその他の特徴および利点は、添付図面を参照して以下に行う詳細な説明によって、より明らかとなろう。
【図面の簡単な説明】
【００２３】
【図１】本発明の第１実施形態に基づく分析装置用マイクロチップおよびこれが装てんされた分析装置を示すシステム概要図である。
【図２】図１のＩＩ−ＩＩ線に沿う断面図である。
【図３】図２のＩＩＩ−ＩＩＩ線に沿う要部断面図である。
【図４】本発明の第１実施形態に基づく分析装置用マイクロチップを示す要部拡大断面図である。
【図５】図２のＶ−Ｖ線に沿う要部断面図である。
【図６】本発明の第１実施形態に基づく分析装置用マイクロチップを示す要部拡大断面図である。
【図７】本発明の第１実施形態に基づく分析装置用マイクロチップを示す要部拡大断面図である。
【図８】図２のＶＩＩＩ−ＶＩＩＩ線に沿う要部断面図である。
【図９】本発明の第１実施形態に基づく分析装置用マイクロチップを示す要部拡大断面図である。
【図１０】本発明の第２実施形態に基づく分析装置用マイクロチップを示す断面図である。
【図１１】本発明の第２実施形態に基づく分析装置用マイクロチップを示す要部拡大断面図である。
【図１２】本発明の第３実施形態に基づく分析装置用マイクロチップを示す断面図である。
【図１３】図１２のＸＩＩＩ−ＸＩＩＩ線に沿う断面図である。
【図１４】本発明の第３実施形態に基づく分析装置用マイクロチップを示す要部拡大断面図である。
【図１５】本発明の第４実施形態に基づく分析装置用マイクロチップを示す要部拡大断面図である。
【図１６】本発明の第５実施形態に基づく分析装置用マイクロチップを示す要部拡大断面図である。
【図１７】従来の分析装置用マイクロチップの一例を示す平面図である。
【図１８】図１７に示す分析装置用マイクロチップを構成する基板を示す平面図である。
【図１９】図１７に示す分析装置用マイクロチップを構成する基板を示す平面図である。
【発明を実施するための形態】
【００２４】
以下、本発明の好ましい実施の形態につき、図面を参照して具体的に説明する。
【００２５】
図１〜図９は、本発明の第１実施形態に基づく分析装置用マイクロチップを示している。本実施形態のマイクロチップ１１は、基板１ａ，１ｂが張り合わされた構造とされており、導入槽２１、分離流路２２、および排出槽２３を有する。マイクロチップ１１は、たとえばキャピラリー電気泳動法を用いた分析を行う分析装置Ａに装てんされるものである。本分析の分析対象となる特定成分としては、たとえば試料として血液を用いた場合、Ａ１ｃに代表されるヘモグロビンが挙げられるが、これに限定されるものではない。
【００２６】
基板１ａ，１ｂは、透明な樹脂またはガラスからなる長矩形状の板状部材であり、マイクロチップ１１の本体となるものである。透明な樹脂としては、ＰＤＭＳ（シリコーン樹脂）、ＰＭＭＡ（アクリル樹脂）、ＰＳ（ポリスチレン樹脂）、ＰＣ（ポリカーボネート樹脂）が挙げられる。基板１ａ，１ｂのサイズは、たとえばその長さが５８ｍｍ程度、幅が９ｍｍ程度、厚さが１．５ｍｍ程度とされる。基板１ｂが本発明で言う第１の基板に相当し、基板１ａが本発明で言う第２の基板に相当する。
【００２７】
導入槽２１は、キャピラリー電気泳動法に用いられるバッファと呼ばれる泳動液や分析対象の試料Ｓが導入される槽であり、分離流路２２に繋がっている。上記泳動液の一例としては、たとえば１００ｍＭりんご酸−アルギニンバッファ（ｐＨ５．０）＋１．５％コンドロイチン硫酸Ｃナトリウムが挙げられる。試料Ｓは、たとえば血液である。導入槽２１は、その断面形状が、長手方向寸法が５．６ｍｍ、幅寸法が１．２ｍｍの略楕円形状とされている。
【００２８】
図５に示すように、導入槽２１は、基板１ａに形成された貫通孔２１ａによって構成されている。図６および図７に示すように、貫通孔２１ａは、基板１ｂと接する接触縁２１１ａを有する。本実施形態においては、接触縁２１１ａは、その全長にわたって半径５μｍ以下の曲面とされている。後述する本発明が意図する効果をより確実に奏するには、接触縁２１１ａは、その全長にわたって半径２μｍ以下の曲面とされることが好ましい。
【００２９】
分離流路２２は、マイクロチップ１１の長手方向であるｘ方向に長く延びており、キャピラリー電気泳動法において分析対象となる特定成分を分離するために用いられる。分離流路２２は、たとえば断面形状が５０μｍ角の正方形状とされており、その長さが２０ｍｍ程度とされている。キャピラリー電気泳動法を用いた分析を行うには、分離流路２２の断面寸法は、ｙ方向寸法およびｚ方向寸法がそれぞれ２５〜１００μｍであることが好ましい。分離流路２２は、本発明で言う微細流路の一例に相当する。
【００３０】
図３に示すように、分離流路２２は、基板１ａに形成された溝２２ａおよび基板１ｂに形成された溝２２ｂによって構成されている。図４に示すように、溝２２ａは、基板１ｂと接する接触縁２２１ａを有している。溝２２ｂは、基板１ａと接する接触縁２２１ｂを有している。本実施形態においては、接触縁２２１ａ，２２１ｂは、ｚ方向視においてほとんど一致している。接触縁２２１ａ，２２１ｂは、その全長にわたって半径５μｍ以下の曲面とされている。後述する本発明が意図する効果をより確実に奏するには、接触縁２２１ａ，２２１ｂは、その全長にわたって半径２μｍ以下の曲面とされることが好ましい。また、接触縁２２１ａ，２２１ｂは、半径が分析流路２２のｙ方向寸法およびｚ方向寸法の双方の１０％以下である曲面であることが好ましい。分離流路２２のｙ方向寸法およびｚ方向寸法が５０μｍよりも小である場合、接触縁２２１ａ，２２１ｂの半径を分離流路２２のｙ方向寸法およびｚ方向寸法の１０％以下となるように設定することが好ましい。
【００３１】
溝２２ａ，２２ｂの隅部２２２ａ，２２２ｂは、その断面形状がたとえば接触縁２２１ａ，２２１ｂよりも半径が大である部分円弧形状とされている。
【００３２】
分離流路２２の一部は、光透過部２４とされている。光透過部２４は、吸光度測定のための光が透過する部分である。
【００３３】
排出槽２３は、キャピラリー電気泳動法に用いられるバッファと呼ばれる泳動液や分析対象の試料Ｓが排出される槽であり、光透過部２４の下流側にある。本実施形態においては、排出槽２３は、基板１ａに形成された貫通孔２３ａによって構成されており、その断面形状は、長手方向寸法が５．６ｍｍ、幅寸法が１．２ｍｍの略楕円形状とされている。
【００３４】
図８に示すように、排出槽２３は、基板１ａに形成された貫通孔２３ａによって構成されている。図９に示すように、貫通孔２３ａは、基板１ｂと接する接触縁２３１ａを有する。本実施形態においては、接触縁２３１ａは、その全長にわたって半径５μｍ以下の曲面とされている。後述する本発明が意図する効果をより確実に奏するには、接触縁２３１ａは、その全長にわたって半径２μｍ以下の曲面とされることが好ましい。
【００３５】
発光側凹部２７は、図２に示すように基板１ａの表面からｚ方向に凹んだ形状とされており、キャピラリー電気泳動法を用いた分析を行うための光が入射する部位である。本実施形態においては、発光部側凹部２７は、大小２つの円柱形凹部が組み合わされた形状とされている。大きい方の凹部は、基板１ａの表面から凹んだ部分であり、たとえば断面形状が直径３ｍｍ程度の円形、深さが０．８ｍｍ程度とされている。小さいほうの凹部は、大きいほうの凹部の底面から凹んだ部分であり、断面形状が直径０．６ｍｍ程度の円形、深さが０．２ｍｍ程度とされている。
【００３６】
受光側凹部２８は、図２に示すように基板１ｂの表面からｚ方向に凹んだ形状とされており、キャピラリー電気泳動法を用いた分析を行うための光が出射する部位である。本実施形態においては、受光側凹部２８は、略円錐台とされており、開口部が直径２ｍｍ程度の円形、深さが０．１３ｍｍ程度とされている。
【００３７】
図１に示すように、マイクロチップ１１が装てんされる分析装置Ａは、電圧印加手段３、分析手段４、試料容器Ｂ、および導入ノズルＮｚを備えている。
【００３８】
電圧印加手段３は、分離流路２２を挟んで導入槽２１および排出槽２３からキャピラリー電気泳動法に必要な電圧を印加するためのものであり、電源部３１、導入側電極３２、および排出側電極３３を備えている。
【００３９】
電源部３１は、キャピラリー電気泳動法に必要な電圧を発生するためのものであり、たとえば１．５ｋＶ程度の電圧を発生する。導入側電極３２および排出側電極３３は、電源部３１の端子に接続されており、たとえば断面直径０．８〜１．０ｍｍのたとえばＣｕからなる棒状である。導入側電極３２は、導入槽２１に浸漬され、排出側電極３３は、排出槽２３に浸漬される。
【００４０】
分析手段４は、たとえば吸光度の測定を実行するものであり、発光部４１、受光部４２、光源部４３、および検出部４４によって構成されている。光源部４３は、吸光度測定に用いられる光を発生するためのものであり、たとえばレーザー素子またはＬＥＤ素子（図示略）を備える。たとえばＡ１ｃなどのヘモグロビンの濃度を分析する場合、光源部４３は、波長が４１５ｎｍの光を発生するが、これに限定されるものではない。発光部４１は、たとえば光ファイバーを介して光源部４３と接続されており、光源部４３からの光を光透過部２４に向けて照射する。本実施形態においては、図２に示すように、発光部４１の先端が発光側凹部２７に挿入される。図１および図２に示すように、受光部４２は、光透過部２４からの光を受光する部位であり、たとえば光ファイバーを介して検出部４４と接続されている。検出部４４は、受光部４２が受けた光を検出する。
【００４１】
分析装置Ａを用いた分析に際しては、たとえば導入ノズルＮｚから導入槽２１へと泳動液が導入される。この泳動液は、導入槽２１、分離流路２２、および排出槽２３を満たす。ついで、試料容器Ｂに蓄えられた血液などの試料Ｓが導入ノズルＮｚに所定量だけ導入される。分析のために、試料Ｓを希釈することが必要な場合、図示しない希釈手段によって希釈された試料Ｓが用いられる。電源部３１から導入側電極３２および排出側電極３３に電圧が印加されると、試料Ｓの分離が始まる。電圧印加の時間が経過するにつれ、特定成分（たとえばＡ１ｃ）が他の成分から分離される。この分離された特定成分が分離流路２２を排出槽２３に向かって移動する。光透過部２４を特定成分が通過すると、図２に示すように、発光部４１から光透過部２４を透過して受光部４２へと向かう光の一部が特定成分によって吸光される。このときの光量の変化を検出する、いわゆる吸光度測定の原理によって、特定成分（Ａ１ｃ）の濃度（通過量）が検出される。
【００４２】
次に、マイクロチップ１１の作用について説明する。
【００４３】
本実施形態によれば、分離流路２２を構成する溝２２ａ，２２ｂの接触縁２２１ａ，２２１ｂは、半径５μｍ以下の曲面とされている。発明者らの研究によれば、このような曲面とされた接触縁２２１ａ，２２１ｂと基板１ａ，１ｂとの間には、血液などの試料Ｓが滞留しにくいことが判明した。接触縁２２１ａ，２２１ｂは、その全長にわたって半径５μｍ以下の曲面とされているため、その全長にわたって血液などの試料Ｓが滞留しにくい。これにより、ある分析を終えた後に、次の分析を行うときに、試料Ｓが滞留してしまうことによる汚染を防止することが可能である。したがって、分析の精度を高めることができる。試料Ｓの滞留を抑制する効果をより高めるためには、接触縁２２１ａ，２２１ｂを半径２μｍ以下の曲面とすることが好ましい。また、接触縁２２１ａ，２２１ｂの半径は、５μｍ以下であり、分離流路２２のｙ方向寸法およびｚ方向寸法（５０μｍ）の１０％以下である。発明者らの研究によれば、このような構成は、試料Ｓの滞留を抑制するのに好適である。
【００４４】
導入槽２１を構成する貫通孔２１ａの接触縁２１１ａは、その全長にわたって半径５μｍ以下の曲面とされている。これにより、接触縁２１１ａと基板１ｂとの隙間に試料Ｓが滞留することを抑制可能であり、分析の精度をさらに高めることができる。試料Ｓの滞留を抑制する効果をより高めるためには、接触縁２１１ａを半径２μｍ以下の曲面とすることが好ましい。
【００４５】
排出槽２３を構成する貫通孔２３ａの接触縁２３１ａは、その全長にわたって半径５μｍ以下の曲面とされている。これにより、接触縁２３１ａと基板１ｂとの隙間に試料Ｓが滞留することを抑制可能であり、分析の精度をさらに高めることができる。試料Ｓの滞留を抑制する効果をより高めるためには、接触縁２３１ａを半径２μｍ以下の曲面とすることが好ましい。
【００４６】
図１０〜図１６は、本発明の他の実施形態を示している。なお、これらの図において、上記実施形態と同一または類似の要素には、上記実施形態と同一の符号を付している。
【００４７】
図１０および図１１は、本発明の第２実施形態に基づく分析装置用マイクロチップを示している。本実施形態のマイクロチップ１２は、分離流路２２の断面形状が上述した実施形態と異なっている。本実施形態においては、分離流路２２は、その断面形状が円形状とされている。分離流路２２の半径は、２５〜１００μｍであり、本実施形態においては５０μｍとされている。接触縁２２１ａ，２２１ｂの半径は、５μｍ以下であり、好ましくは２μｍ以下である。
【００４８】
このような実施形態によっても試料Ｓが分離流路２２に滞留することを抑制可能であり、分析の精度を高めることができる。
【００４９】
図１２〜図１４は、本発明の第３実施形態に基づく分析装置用マイクロチップを示している。本実施形態のマイクロチップ１３は、分離流路２２が溝２２ｂと基板１ａとによって構成されている点が上述した実施形態と異なっている。図１３および図１４に示すように、本実施形態においては、基板１ａには分離流路２２を構成するための溝が形成されていない。溝２２ｂは、その断面寸法が２５〜１００μｍ角の矩形状とされており、接触縁２２１ｂが、その全長にわたって半径５μｍ以下の曲面によって構成されている。さらに、接触縁２２１ｂの半径は、溝２２ｂのｙ方向寸法およびｚ方向寸法双方の１０％以下であることが好ましい。
【００５０】
このような実施形態によっても試料Ｓが分離流路２２に滞留することを抑制可能であり、分析の精度を高めることができる。また、たとえばマイクロチップ１１，１２を製造する際に、溝２２ａ，２２ｂの接触縁２２１ａ，２２１ｂが一致するように基板１ａ，１ｂを貼り合わせることが必要であるのに対し、マイクロチップ１３の製造にはこのような配慮は必要ではない。これにより、マイクロチップ１３の製造を容易とすることができる。
【００５１】
図１５は、本発明の第４実施形態に基づく分析装置用マイクロチップを示している。本実施形態のマイクロチップ１４は、分離流路２２を構成する溝２２ｂの断面形状が上述したマイクロチップ１３と異なっている。溝２２ｂは、断面半円弧状の底部２２３ｂを有しており、断面形状がＵ字状とされている。溝２２ｂのｙ方向寸法およびｚ方向寸法は、２５〜１００μｍであり、接触縁２２１ｂの半径は５μｍ以下、好ましくは２μｍ以下とされている。
【００５２】
このような実施形態によっても試料Ｓが分離流路２２に滞留することを抑制可能であり、分析の精度を高めることができる。また、マイクロチップ１４の製造を容易とすることができる。
【００５３】
図１６は、本発明の第５実施形態に基づく分析装置用マイクロチップを示している。本実施形態のマイクロチップ１５は、分離流路２２を構成する溝２２ｂの断面形状が上述したマイクロチップ１３と異なっている。溝２２ｂは、断面部分円弧状の底部２２３ｂを有しており、断面形状がＶ字状とされている。溝２２ｂのｙ方向寸法およびｚ方向寸法は、２５〜１００μｍであり、接触縁２２１ｂの半径は５μｍ以下、好ましくは２μｍ以下とされている。
【００５４】
このような実施形態によっても試料Ｓが分離流路２２に滞留することを抑制可能であり、分析の精度を高めることができる。また、マイクロチップ１５の製造を容易とすることができる。
【００５５】
本発明に係る分析装置用マイクロチップは、上述した実施形態に限定されるものではない。本発明に係る分析装置用マイクロチップの各部の具体的な構成は、種々に設計変更自在である。
【符号の説明】
【００５６】
Ａ      電気泳動分析装置
Ｂ      試料容器
Ｓ      試料
Ｎｚ    導入ノズル
１１〜１５  （分析装置用）マイクロチップ
１ａ    （第２の）基板
１ｂ    （第１の）基板
２１    導入槽（液溜槽）
２１ａ  貫通孔
２１１ａ  接触縁
２２    分離流路（微細流路）
２２ａ  （第２の）溝
２２ｂ  （第１の）溝
２２１ａ，２２１ｂ  接触縁
２２２ａ，２２２ｂ  隅部
２２３ｂ  底部
２３１ａ  接触縁
２３    排出槽
２３ａ  貫通孔
２４    光透過部
２７    発光側凹部
２７１  外側凹部
２７２  内側凹部
２７３  透過面
２８    受光側凹部
２８１  透過面
２８２  反射面
３      電圧印加手段
３１    電源部
３２    導入側電極
３３    排出側電極
４      分析手段
４１    発光部
４２    受光部
４３    光源部
４４    検出部
【図１】
2012068215.tif 000003
【図２】
2012068215.tif 000004
【図３】
2012068215.tif 000005
【図４】
2012068215.tif 000006
【図５】
2012068215.tif 000007
【図６】
2012068215.tif 000008
【図７】
2012068215.tif 000009
【図８】
2012068215.tif 000010
【図９】
2012068215.tif 000011
【図１０】
2012068215.tif 000012
【図１１】
2012068215.tif 000013
【図１２】
2012068215.tif 000014
【図１３】
2012068215.tif 000015
【図１４】
2012068215.tif 000016
【図１５】
2012068215.tif 000017
【図１６】
2012068215.tif 000018
【図１７】
2012068215.tif 000019
【図１８】
2012068215.tif 000020
【図１９】
2012068215.tif 000021